(57)【要約】本発明は、繊維複合品の一方の表面を形成する不織布層（４）と、他方の表面を形成する熱可塑性フィルム層（６）とを備えた、人の皮膚を手入れおよび洗浄するためのディスク状またはパッド状の繊維複合品（２）に関する。繊維複合品を多様に使用可能に形成するために、熱可塑性フィルム層（６）は人の皮脂成分を受容するために多孔質構造を有する。
2005535358.tif 000002
【特許請求の範囲】
【請求項１】
繊維複合品の一方の表面を形成する不織布層（４）と、他方の表面を形成する熱可塑性フィルム層（６）とを備えた、人の皮膚を手入れおよび洗浄するためのディスク状またはパッド状の繊維複合品（２）であって、熱可塑性フィルム層（６）が人の皮脂成分を受容するために多孔質構造を有することを特徴とする繊維複合品。
【請求項２】
熱可塑性ポリマーがポリオレフィン、特にポリエチレン（ＰＥ）またはポリプロピレン（ＰＰ）であることを特徴とする、請求項１記載の繊維複合品。
【請求項３】
熱可塑性フィルム層（６）が充填材を備えることを特徴とする、請求項１または２記載の繊維複合品。
【請求項４】
充填材が無機材であることを特徴とする、請求項３記載の繊維複合品。
【請求項５】
熱可塑性フィルム層（６）が0.5〜50μｍ、特に0.5〜40μｍ、特に0.5〜30μｍ、特に0.5〜20μｍ、特に0.5〜10μｍの大きさの孔を有することを特徴とする、請求項１〜４のいずれか一つまたは複数に記載の繊維複合品。
【請求項６】
不織布層（４）がフィルム層（６）とは反対の繊維複合品（２）の側に配置されていることを特徴とする、請求項１〜５のいずれか一つまたは複数に記載の繊維複合品。
【請求項７】
不織布層（４）が綿繊維を基材とした綿パッドによって形成されていることを特徴とする、請求項１〜６のいずれか一つまたは複数に記載の繊維複合品。
【請求項８】
不織布層（４）が熱可塑性繊維を加えて熱で固化されていることを特徴とする、請求項１〜７のいずれか一つまたは複数に記載の繊維複合品。
【請求項９】
熱可塑性繊維が複合繊維であることを特徴とする、請求項８記載の繊維複合品。
【請求項１０】
不織布層（４）が熱可塑性繊維を５〜２０重量％含むことを特徴とする、請求項１〜９のいずれか一つまたは複数に記載の繊維複合品。
【請求項１１】
不織布層（４）が１dtexよりも小さな繊維太さの合成微小繊維を含んでいることを特徴とする、請求項１〜１０のいずれか一つまたは複数に記載の繊維複合品。
【請求項１２】
不織布層（４）が微小繊維を４０〜９０重量％含むことを特徴とする、請求項１１記載の繊維複合品。
【請求項１３】
不織布層（４）が綿繊維を９５重量％以下含むことを特徴とする、請求項１〜１２のいずれか一つまたは複数に記載の繊維複合品。
【請求項１４】
不織布層（４）が綿繊維からなることを特徴とする、請求項１〜１３のいずれか一つまたは複数に記載の繊維複合品。
【請求項１５】
不織布層（４）が水噴射で固化されていることを特徴とする、請求項１〜１４のいずれか一つまたは複数に記載の繊維複合品。
【請求項１６】
皮膚を洗浄または手入れする際に人の皮脂成分を受容するための、不織布層（４）を有する繊維複合材料（２）の表面層（８）としての多孔質の熱可塑性フィルム層（６）の使用。
【発明の詳細な説明】
【技術分野】
【０００１】
本発明は、繊維複合品の一方の表面を形成する不織布層と、他方の表面を形成する熱可塑性フィルム層とを備えた、人の皮膚を手入れおよび洗浄するためのディスク状またはパッド状の繊維複合品に関する。
【背景技術】
【０００２】
このような繊維複合品は一般的に綿パッド（カット綿、コットン）と呼ばれる。この種の綿パッドは例えば特許文献１によって知られている。この公知の綿パッドの場合の熱可塑性コーティングは、この熱可塑性フィルム層に固体顆粒を含めることにより、粗い表面を備えている。これによって、皮膚の汚れやはがれた角質層を容易に除去でき、しかも研磨剤を含んでいない洗浄用（クレンジング）ミルクまたは剥皮（ピーリング）クリームを使用して除去できる。
【０００３】
特許文献２は、不織布層と、それに隣接する遮断層を備えた綿パッドを示している。この遮断層は熱可塑性フィルムまたは熱可塑性材料をコーティングした紙によって形成可能である。この遮断層に隣接して、把持部としての働きをする折畳み部を備えた表面層が設けられている。この折畳み部は“ADVANTECH 2000合成紙”の印刷物の実施形に従って形成可能である。この合成紙はポリプロピレンを含む紙である。表面を形成するこの層を熱可塑性フィルム層と呼ぶときでも、この層は使用層ではなく、単に綿パッドを保持する働きをする。
【０００４】
類似の綿パッドが特許文献３によって知られている。把持片と遮断層は適当な熱可塑性フィルム材料によって形成可能である。実施形によれば、把持片はその使用形態で折畳み可能であるので、その下に配置された遮断層の表面範囲が露出する。この遮断層は把持片の包装位置で覆われている。更に、皮膚を所望どおりに洗浄するために使用される側にのみ不織布層が形成される。この特許文献３において、遮断層は液体や粒子を通さないと記載されている。
【０００５】
特許文献４は類似の綿パッドを示している。
【０００６】
更に、脂肪を吸収する１つの熱可塑性フィルム層からなる市販の化粧製品が知られている。この製品は皮膚の手入れや洗浄のために使用可能である。
【特許文献１】ドイツ連邦共和国実用新案登録第２０００５１７０号公報
【特許文献２】ＷＯ００／３３９７４
【特許文献３】欧州特許第５２７７７９号公報
【特許文献４】ドイツ連邦共和国特許出願公開第１９９１６６４０号公報
【発明の開示】
【発明が解決しようとする課題】
【０００７】
本発明の根底をなす課題は、冒頭に述べた技術水準から出発して、人の皮膚の手入れや洗浄の際に多様に使用可能であるように、いわゆる綿パッドの形をした繊維複合品を改良することである。特に、実際に発生するいろいろな要求を満たすべきである。この要求はその都度の使用者だけでなく、例えば化粧物質、皮膚の汚れまたは皮脂成分の洗浄除去のようないろいろな使用目的に依存する。
【課題を解決するための手段】
【０００８】
この課題は冒頭に述べた種類の綿パッドにおいて本発明に従い、熱可塑性フィルム層が人の皮脂成分を受容するために多孔質構造を有することによって解決される。  すなわち、本発明によって、綿パッドにおいて多孔質の熱可塑性フィルム層を、人の皮膚を拭くまたは洗浄するための表面層として使用し、液体バリヤまたは把持補助として使用しないことが提案される。これにより、綿パッドは多様に使用可能である。すなわち、表面が露出した不織布層を、それ自体公知のごとく、化粧物質を塗布または除去するために、しかも皮膚表面を洗浄するために使用できる。同様に表面が露出した熱可塑性フィルム層を、人の皮脂成分を除去するために使用できる。この皮脂成分は疎水性、ひいては脂肪好性のフィルム層とその孔によって受容される。例えば先ず最初に、不織布層が使用され、それに続いて複合品を例えば折り畳み可能である。それによって使用済み不織布表面が折り畳まれるので、他の側の熱可塑性フィルム層を、皮膚から脂肪成分を除去するために使用できる。先ず最初に、フィルム層を皮脂成分除去のために使用することが好ましい。続いて、不織布表面によって、化粧直し、例えばパウダーの付け直しなどを行える。
【０００９】
熱可塑性ポリマーがポリオレフィン、特にポリエチレン（ＰＥ）またはポリプロピレン（ＰＰ）あるいはこれらの混合物であると有利であることが判った。更に、熱可塑性フィルム層が好ましくは無機の充填材を備えていると有利であることが判った。皮脂成分を受容するために適した多孔質の熱可塑性フィルム層を製造するために、熱可塑性ポリマーが好ましくは無機の充填材と混合させられる。この場合、混合物から公知のごとくフィルムが製造される。このフィルムはその後で延伸されるので、孔が生じる。
【００１０】
しかしその代わりに、充填材を含むフィルムに、カレンダ加工によって孔を形成できる。上述の多孔質のフィルム層は、50μｍよりも小さな孔寸法を有する、しばしば微小孔と呼ぶ穴を含むフィルム層であると理解される。この場合、一層大きな孔がフィルム層内に形成可能であることを排除すべきではない。従って、孔が50μｍよりも小さい大きさ、特に0.5〜50μｍまたは0.5〜40μｍ、好ましくは0.5〜30μｍまたは0.5〜20μｍ、特に0.5〜10μｍの大きさ有すると有利であることが判った。
【００１１】
このようなフィルムは、市販されている冒頭で述べた製品の形態で知られている。更に、例えば欧州特許第２９３４８２号公報またはドイツ連邦共和国特許出願公開第３３０６８４３号公報および米国特許第特許第４５８５６０４号明細書において吸収する衛生用品用裏シート材料として記載されているような熱可塑性フィルム層を使用できる。
【００１２】
不織布層とフィルム層を複合品の同じ側に設け、それぞれ皮膚の洗浄のための複合品の側の一部または範囲を形成すると有利であることが判った。この表面範囲は特に互いに面一になるように配置可能である。しかし、前述のように、不織布層をフィルム層とは反対の複合品の側に配置する実施形も有利である。
【００１３】
不織布層の形成に関して、特別な制限はない。やわらかくしなやかに感じられる不織布材料が使用されると有利であることが判った。そのために、多くの観点から有利でかつ適切であると見なされる綿を使用できる。しかし、不織布層は熱可塑性繊維を含んでいてもよく、熱可塑性繊維を溶着して熱で固化できる。すなわち、当該の種類の綿パッドにおいて不織布層がばらばらにならないようにすることが重要である。カレンダ加工のような緊密化法（スパンボンド法）または噴射水ピン留め（ウォータージェット法、ニードルパンチ法）のほかに、綿パッドの熱固化（サーマルボンド法）は有利なフリース固化手段である。
【００１４】
不織布層が熱可塑性繊維を５〜２０重量％含み、場合によっては綿繊維を９５重量％以下含んでいるような不織布層の組成が有利であることが判った。
【００１５】
更に、不織布層が１dtexよりも小さな繊維太さの合成微小繊維、例えばビスコース繊維またはポリエステル繊維を、特に綿繊維と混合して含んでいるような不織布層の組成が有利であることが判った。微小繊維は不織布層内に特に４０〜９０重量％含まれている。
【００１６】
１００％綿繊維からなる不織布層も有利である。この場合特に、不織布を固化するために、不織布層の片側または両側で水噴射固化を行うと有利である。それによって、手に持って使用するときに、繊維がばらばらにならない。
【００１７】
不織布層の有利な単位面積当たりの重量は50〜260g/m2 である。0.5kPaの検査圧力の下で、1. 2〜５mmのフリース厚さが有利であることが判った。
【００１８】
人の皮膚を洗浄または手入れする際に皮脂成分を受容するために、不織布層を有する繊維複合品において、それ自体公知の多孔質の熱可塑性フィルム層を、表面層として使用することは、本発明の対象である。
【００１９】
熱可塑性フィルム層の単位面積当たりの重量は20〜80g/m2であり、その厚さは30〜70μｍである。
【発明を実施するための最良の形態】
【００２０】
本発明の他の特徴、詳細および効果は、添付の特許請求の範囲と、図面と、本発明による繊維複合品の好ましい実施の形態の次の説明とから明らかである。
【００２１】
図１は、全体を参照符号２で示した綿パッドの斜視図である。この綿パッドは不織布（フリース）層４を備えている。この不織布層は例えば１００重量％の綿からなっているかあるいは８５重量％の綿と１５重量％の熱可塑性複合繊維（熱可塑性二成分繊維）とからなっている。後者の場合、繊維は均一に混合され、得られた不織布層は、複合繊維のコア成分よりも低い温度で溶融する外皮成分を溶着させることによって熱固化（サーマルボンド）される。実質的に綿繊維だけからなる不織布層の場合、この不織布層を噴射水ピン留めによって固化する（スパンレース）と有利であることが判った。両実施の形態の場合、不織布は図に示していない使用側に、溝パターンまたはワッフルパターンまたは類似の構造化された表面形成物を備えている。
【００２２】
使用側とは反対の不織布４の側には、フィルム層６が取付けられている。このフィルム層は無機充填材を有する熱可塑性ポリマー、好ましくはポリオレフィンをベースとしたもの、例えばＰＥまたはＰＰからなっている。
【００２３】
フィルム層は例えば高温溶融接着剤によってあるいは当業者に供される他の手段によって不織布層に取付け可能である。
【００２４】
フィルム層は、好ましくは0.5〜40μｍ、特に0.5〜30μｍ、とりわけ0.5〜20μｍまたは0.5〜10μｍの大きさの孔を有する微小孔性のフィルムである。単位面積あたりの重量は20〜80g/m2であり、その厚さは30〜70μｍである。図示の場合、繊維リース層４とは反対側のフリース層の表面８は、皮膚表面に直接接触可能な他の使用側を形成している。皮膚表面をふいてきれいにする際に、人の皮脂成分をフィルム層６の多孔性構造体に受容すると有利である。従って、綿パッドは皮脂成分を除去して皮膚をきれいにするために使用可能である。この場合、公知の綿パッドの従来の用途は不織布層４の使用側を介して当然および付加的に供される。
【図面の簡単な説明】
【００２５】
【図１】本発明の綿パッドの斜視図である。
【図１】
2005535358.tif 000003
【手続補正書】
【提出日】平成16年3月12日(2004.3.12)
【手続補正１】
【補正対象書類名】特許請求の範囲
【補正対象項目名】全文
【補正方法】変更
【補正の内容】
【特許請求の範囲】
【請求項１】
繊維複合品の一方の表面を形成する不織布層（４）と、他方の表面を形成する熱可塑性フィルム層（６）とを備えた、人の皮膚を手入れおよび洗浄するためのディスク状またはパッド状の繊維複合品（２）であって、不織布層（４）が熱可塑性繊維を加えて熱で固化され、および／または１dtexよりも小さな繊維太さの合成微小繊維を含んでいることと、熱可塑性フィルム層（６）が人の皮脂成分を受容するために多孔性の構造を有することを特徴とする繊維複合品。
【請求項２】
熱可塑性ポリマーがポリオレフィン、特にポリエチレン（ＰＥ）またはポリプロピレン（ＰＰ）であることを特徴とする、請求項１記載の繊維複合品。
【請求項３】
熱可塑性フィルム層（６）が充填材を備えることを特徴とする、請求項１または２記載の繊維複合品。
【請求項４】
充填材が無機材であることを特徴とする、請求項３記載の繊維複合品。
【請求項５】
熱可塑性フィルム層（６）が0.5〜50μｍ、特に0.5〜40μｍ、特に0.5〜30μｍ、特に0.5〜20μｍ、特に0.5〜10μｍの大きさの孔を有することを特徴とする、請求項１〜４のいずれか一つまたは複数に記載の繊維複合品。
【請求項６】
不織布層（４）がフィルム層（６）とは反対の繊維複合品（２）の側に配置されていることを特徴とする、請求項１〜５のいずれか一つまたは複数に記載の繊維複合品。
【請求項７】
不織布層（４）が綿繊維を基材とした綿パッドによって形成されていることを特徴とする、請求項１〜６のいずれか一つまたは複数に記載の繊維複合品。
【請求項８】
熱可塑性繊維が複合繊維であることを特徴とする、請求項１〜７のいずれか一つまたは複数に記載の繊維複合品。
【請求項９】
不織布層（４）が熱可塑性繊維を５〜２０重量％含むことを特徴とする、請求項１〜８のいずれか一つまたは複数に記載の繊維複合品。
【請求項１０】
不織布層（４）が微小繊維を４０〜９０重量％含むことを特徴とする、請求項１〜９のいずれか一つまたは複数に記載の繊維複合品。
【請求項１１】
不織布層（４）が綿繊維を９５重量％以下含むことを特徴とする、請求項１〜１０のいずれか一つまたは複数に記載の繊維複合品。
【請求項１２】
不織布層（４）が綿繊維からなることを特徴とする、請求項１〜１１のいずれか一つまたは複数に記載の繊維複合品。
【請求項１３】
不織布層（４）が水噴射で固化されていることを特徴とする、請求項１〜１２のいずれか一つまたは複数に記載の繊維複合品。
【請求項１４】
皮膚を洗浄または手入れする際に人の皮脂成分を受容するための、不織布層（４）を有する繊維複合材料（２）の表面層（８）としての多孔質の熱可塑性フィルム層（６）の使用。
【国際調査報告】
2005535358.tif 000004
2005535358.tif 000005
2005535358.tif 000006
2005535358.tif 000007
2005535358.tif 000008
2005535358.tif 000009